【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
第１の方向に配列された複数の発光点を有する光源と、該第１の方向に配列された複数のレンズ光学系を有する結像光学系と、を備え、該結像光学系により受光面上に前記複数の発光点の像を形成する光学装置であって、
前記第１の方向と前記レンズ光学系の光軸方向とに平行な第１の断面内において、前記受光面に入射する結像光束の開き角の最大値の半値をθｍ、解像度をＰｍ、前記受光面上に形成される前記複数の発光点の像の夫々の大きさをＤｍ、とし、
前記第１の方向に垂直な第２の断面内において、前記受光面に入射する結像光束の開き角の最大値の半値をθｓ、解像度をＰｓ、前記受光面上に形成される前記複数の発光点の夫々の像の大きさをＤｓ、とするとき、
【数１】
2014126752.tif 000001
なる条件を満足することを特徴とする光学装置。
【請求項２】
前記第１の断面内において、前記開き角の最大値の半値θｍは有効開き角の最大値の半値θｍ’であり、前記第２の断面内において、前記開き角の最大値の半値θｓは有効開き角の最大値の半値θｓ’であることを特徴とする請求項１に記載の光学装置。
【請求項３】
第１の方向に配列された複数の発光点を有する光源と、該第１の方向に配列された複数のレンズ光学系を有する結像光学系と、を備え、該結像光学系により受光面上に前記複数の発光点の像を形成する光学装置であって、
前記第１の方向と前記レンズ光学系の光軸方向とに平行な第１の断面内において、前記複数のレンズ光学系の配列ピッチをｐ、前記光源が有する１つの発光点からの光線が通過するレンズ光学系の最大個数をｎｍ、解像度をＰｍ、前記受光面上に形成される前記複数の発光点の像の夫々の大きさをＤｍ、とし、
前記第１の方向に垂直な第２の断面内において、前記結像光学系の最大有効幅をＴ、解像度をＰｓ、前記受光面上に形成される前記複数の発光点の夫々の像の大きさをＤｓ、とするとき、
【数２】
2014126752.tif 000002
なる条件を満足することを特徴とする光学装置。
【請求項４】
前記第１の断面内において、前記最大個数ｎｍは有効最大個数ｎｍ’であることを特徴とする請求項３に記載の光学装置。
【請求項５】
【数３】
2014126752.tif 000003
なる条件を満足することを特徴とする請求項３又は４に記載の光学装置。
【請求項６】
前記結像光学系は、前記第１の断面内において前記複数の発光点の夫々を前記受光面上に正立等倍結像し、前記第２の断面内において前記複数の発光点の夫々を前記受光面上に倒立結像することを特徴とする請求項１乃至５のいずれか１項に記載の光学装置。
【請求項７】
前記複数のレンズ光学系の夫々は、アナモフィックな形状のレンズ面を有することを特徴とする請求項１乃至６のいずれか１項に記載の光学装置。
【請求項８】
前記複数のレンズ光学系の夫々は、前記レンズ光学系の光軸方向に配列された複数のレンズ部を含むことを特徴とする請求項１乃至７のいずれか１項に記載の光学装置。
【請求項９】
前記結像光学系は、前記第２の断面内において拡大系であることを特徴とする請求項１乃至８のいずれか１項に記載の光学装置。
【請求項１０】
前記光源が有する前記複数の発光点は、有機発光素子であることを特徴とする請求項１乃至９のいずれか１項に記載の光学装置。
【請求項１１】
請求項１乃至１０のいずれか１項に記載の光学装置と、該光学装置により前記受光面に形成される静電潜像をトナー像として現像する現像器と、現像された前記トナー像を被転写材に転写する転写器と、転写された前記トナー像を前記被転写材に定着させる定着器と、を備えることを特徴とする画像形成装置。
【請求項１２】
第１の方向に配列された複数のレンズ光学系を有する結像光学系を備え、該結像光学系により受光面上に原稿の像を形成する光学装置であって、
前記第１の方向と前記レンズ光学系の光軸方向とに平行な第１の断面内において、前記受光面に入射する結像光束の開き角の最大値の半値をθｍ、解像度をＰｍ、とし、
前記第１の方向に垂直な第２の断面内において、前記受光面に入射する結像光束の開き角の最大値の半値をθｓ、解像度をＰｓ、とするとき、
【数４】
2014126752.tif 000004
なる条件を満足することを特徴とする画像読取装置。
【請求項１３】
前記第１の断面内において、前記開き角の最大値の半値θｍは有効開き角の最大値の半値θｍ’であり、前記第２の断面内において、前記開き角の最大値の半値θｓは有効開き角の最大値の半値θｓ’であることを特徴とする請求項１２に記載の光学装置。
【請求項１４】
第１の方向に配列された複数のレンズ光学系を有する結像光学系を備え、該結像光学系により受光面上に原稿の像を形成する光学装置であって、
前記第１の方向と前記レンズ光学系の光軸方向とに平行な第１の断面内において、前記複数のレンズ光学系の配列ピッチをｐ、前記光源が有する１つの発光点からの光線が通過するレンズ光学系の最大個数をｎｍ、解像度をＰｍ、とし、
前記第１の方向に垂直な第２の断面内において、前記結像光学系の最大有効幅をＴ、解像度をＰｓ、とするとき、
【数５】
2014126752.tif 000005
なる条件を満足することを特徴とする光学装置。
【請求項１５】
前記第１の断面内において、前記最大個数ｎｍは有効最大個数ｎｍ’であることを特徴とする請求項１４に記載の光学装置。
【請求項１６】
請求項１２乃至１５のいずれか１項に記載の光学装置と、前記結像光学系により集光された前記原稿からの光線を受光する受光部と、を有することを特徴とする画像読取装置。
【手続補正２】
【補正対象書類名】明細書
【補正対象項目名】００５６
【補正方法】変更
【補正の内容】
【００５６】
図４（ａ）及び（ｂ）に示した２パターンにおいて、光利用効率の損失量は同じである。つまり、図４（ａ）に示したパターンよりも、図４（ｂ）に示したパターンの方がＺＸ断面内での深度幅を狭くすることができるため、結像性能において有利となる。そこで、本実施例に係る光学装置は、ＸＹ断面内で深度幅が最も狭くなるとき、すなわち、各レンズ光学系１０５ａの中間物体高にある発光点が受光面１０６上に結像されるときに、深度幅がＸＹ断面内とＺＸ断面内とで略等しくなるように設計している。
【手続補正３】
【補正対象書類名】明細書
【補正対象項目名】００６５
【補正方法】変更
【補正の内容】
【００６５】
また、実際の画像形成装置（及び画像読取装置）において要求されるのは、コントラスト４０％〜８０％において評価した深度幅である。ここで、条件式（５）は、コントラスト１００％における深度幅を考慮して導出されたものであるが、コントラスト４０％〜８０％の深度幅においても近似的に適用することができる。
【手続補正４】
【補正対象書類名】明細書
【補正対象項目名】００９７
【補正方法】変更
【補正の内容】
【００９７】
【表４】
2014126752.tif 000006
【手続補正５】
【補正対象書類名】明細書
【補正対象項目名】０１６２
【補正方法】変更
【補正の内容】
【０１６２】
表９より、コントラスト４０〜９０％の範囲において、ＸＹ断面内とＺＸ断面内とで深度幅を略等しくできていることがわかる。つまり、本実施例に係る光学装置を、条件式（５）及び（１０）を満たす構成とすることで、中間物体高にある発光点が受光面１２０６上に結像されるときの、ＸＹ断面内及びＺＸ断面内における深度幅を揃えることができる。このように、本実施例に係る光学装置によれば、各発光点からの光束が通過するレンズ光学系の個数が増えても、光利用効率を確保しつつ良好な結像性能を達成することができる。
【手続補正６】
【補正対象書類名】明細書
【補正対象項目名】０１８８
【補正方法】変更
【補正の内容】
【０１８８】
図１７において、カラー画像形成装置３３には、パーソナルコンピュータ等の外部機器３５からＲ（レッド）、Ｇ（グリーン）、Ｂ（ブルー）の各色信号が入力される。これらの色信号は、装置内のプリンタコントローラ３６によって、Ｃ（シアン），Ｍ（マゼンタ），Ｙ（イエロー）、Ｋ（ブラック）の画像信号（ドットデータ）に変換され、夫々対応する光学装置１７，１８，１９，２０に入力される。なお、プリンタコントローラ３６は、信号の変換だけでなく、カラー画像形成装置３３における各部の制御を行っている。